(57)【特許請求の範囲】
【請求項１】
窓枠を形成するパネルに隠されてカーテン生地を巻き取る巻き取りローラと、前記パネルに隠されてカーテン引き出し方向に対向配置される一対のガイドレールと、前記ガイドレールに沿って前記窓枠内を移動し前記カーテン生地の先端を引き出すスライダとを備え、前記カーテン生地を前記スライダの移動によって引き出すロールカーテンにおいて、前記スライダは、両端が前記ガイドレールに案内されて移動するスライダ本体と、前記カーテン生地の先端縁が取り付けられた着脱体と、前記スライダ本体に前記着脱体を係止する係止手段と、前記スライダ本体と前記着脱体との間に配置され前記係止手段を係止させる方向に作用する弾性力を発揮する弾性部材を有し、前記係止手段は前記弾性部材の弾性力を受けて前記着脱体を前記スライダ本体に係止し且つ前記弾性部材の弾性力に抗して前記着脱体を前記スライダ本体に対して所定距離ずらした状態で前記係止を解くことを特徴とするロールカーテン。
【請求項２】
前記着脱体が前記スライダ本体に対して前記所定距離を越えてずれると前記着脱体を前記スライダ本体から外す離間手段を備えたことを特徴とする請求項１記載のロールカーテン。
【請求項３】
前記着脱体の前記スライダ本体に対するずれを阻止する外れ防止手段を備えることを特徴とする請求項１又は２記載のロールカーテン。
【発明の詳細な説明】
【０００１】
【発明の属する技術分野】
本発明は、ロールカーテンに関する。さらに詳述すると、本発明はカーテン生地の交換が可能なロールカーテンに関するものである。
【０００２】
【従来の技術】
カーテン生地の交換が可能なロールカーテンとして、例えば特開平１０−２９２７５６号公報に開示されたものがある。このロールカーテンでは、図１４に示すように、スライダ１０１を図示しないガイドレールに沿って上げ下げすることでカーテン生地１０２を図示しない巻き取りローラで巻き取ったり、カーテン生地１０２を巻き取りローラから引き出している。
【０００３】
スライダ１０１は、ガイドレールに案内されて移動するスライダ本体１０３と、カーテン生地１０２が取り付けられる着脱体１０４と、着脱体１０４をスライダ本体１０３に係止する係止片１０５を備えている。スライダ本体１０３と着脱体１０４には孔１０６，１０７が形成されており、これらの孔１０６，１０７に係止片１０５を挿入することで着脱体１０４とスライダ本体１０３を一体化させている。係止片１０５には爪１０８が形成されており、当該爪１０８をスライダ本体１０３の内側に引っ掛けることで係止片１０５の脱落が防止されている。また、係止片１０５はねじ１０９によっても脱落が防止されている。
【０００４】
カーテン生地１０２を交換する場合には、ねじ１０９を外して係止片１０５を各孔１０６，１０７から引き抜き、着脱体１０４をスライダ本体１０３から取り外す。そして、スライダ本体１０３を図示しない内パネルの裏側に残したまま、着脱体１０４を傾けて窓枠に通し内パネルの裏側から取り出す。着脱体１０４にはカーテン生地１０２の下端縁１０２ａが取り付けられているので、カーテン生地１０２の下端縁１０２ａも一緒に内パネルの裏側から取り出される。この状態でカーテン生地１０２の下端縁１０２ａを着脱体１０４から取り外すことで、内パネルの手前側でカーテン生地１０２の交換作業を行うことができる。
【０００５】
カーテン生地１０２を取り替えた後、着脱体１０４を傾けて窓枠に通し内パネルの裏側に戻す。そして、着脱体１０４をスライダ本体１０３に被せた後、係止片１０５を各孔１０６，１０７に挿入して着脱体１０４とスライダ本体１０３を一体化させねじ１０９で固定する。
【０００６】
【発明が解決しようとする課題】
しかしながら、上記のロールカーテンでは、スライダ１０１のスライダ本体１０３と着脱体１０４とを係止片１０５によって一体化させており、しかも係止片１０５の脱落を防止するためにねじ１０９を取り付けているので、構成部品の点数が多くなり、また、着脱体１０４の取り外し作業や取付作業が煩雑になっていた。これらのため製造コストが増加し、また、作業性に劣っていた。
【０００７】
本発明は、構成部品の点数を減少させることができると共に、簡単な作業で着脱体の取り付け・取り外しを行うことが可能なロールカーテンを提供することを目的とする。
【０００８】
【課題を解決するための手段】
かかる目的を達成するために本発明は、窓枠を形成するパネルに隠されてカーテン生地を巻き取る巻き取りローラと、パネルに隠されてカーテン引き出し方向に対向配置される一対のガイドレールと、ガイドレールに沿って窓枠内を移動しカーテン生地の先端を引き出すスライダとを備え、カーテン生地をスライダの移動によって引き出すロールカーテンにおいて、スライダは、両端がガイドレールに案内されて移動するスライダ本体と、カーテン生地の先端縁が取り付けられた着脱体と、スライダ本体に着脱体を係止する係止手段と、スライダ本体と着脱体との間に配置され係止手段の係止が強くなる方向に弾性力を発揮する弾性部材を有し、係止手段は弾性部材の弾性力を受けて着脱体をスライダ本体に係止し且つ弾性部材の弾性力に抗して着脱体をスライダ本体に対して所定距離ずらした状態で係止を解くものである。
【０００９】
したがって、着脱体をスライダ本体に取り付けると弾性部材の弾性力が係止手段を係止させる方向に作用し、スライダ本体と着脱体を一体化する。着脱体をスライダ本体から取り外す場合には、弾性部材の弾性力に抗して着脱体をスライダ本体に対してずらせば良い。着脱体を所定距離ずらすことで係止手段の係止が解かれ、着脱体をスライダ本体から取り外すことが可能になる。また、着脱体をスライダ本体に取り付けこれらを一体化する場合には、弾性部材の弾性力に抗して着脱体をスライダ本体に取り付ければ良い。着脱体をスライダ本体の所定位置に取り付けることで係止手段が弾性部材の弾性力を受けて着脱体をスライダ本体に係止し、着脱体とスライダ本体が一体化される。
【００１０】
また、請求項２記載のロールカーテンは、着脱体がスライダ本体に対して所定距離を越えてずれると着脱体をスライダ本体から押し離す離間手段を備えている。
【００１１】
したがって、着脱体をずらしてスライダ本体との係止を解いた後、さらに着脱体をずらすと、離間手段によって着脱体がスライダ本体から押し離されて外される。また、この状態では係止手段の位置関係がずれているので、弾性部材の弾性力によって着脱体が押し戻されたとしても、再び着脱体が係止手段によってスライダ本体に係止されることはない。
【００１２】
さらに、請求項３記載のロールカーテンは、着脱体のスライダ本体に対するずれを阻止する外れ防止手段を備えている。
【００１３】
したがって、外れ防止手段が働いている場合には着脱体がスライダ本体に対してずれることがなく、着脱体がスライダ本体から外れることがない。一方、外れ防止手段を解除することで着脱体をスライダ本体に対してずらすことが可能になり、着脱体をスライダ本体から取り外すことが可能になる。
【００１４】
【発明の実施の形態】
以下、本発明の構成を図面に示す最良の形態に基づいて詳細に説明する。
【００１５】
図１から図３に、本発明を適用したロールカーテンの実施形態の一例を示す。このロールカーテンは、例えば鉄道車両の窓用のもので、窓の中、即ち窓枠１を形成する内パネル（側パネル）２と図示しない外パネルとの間に設置され、巻き取りローラ３に巻き取られているカーテン生地４が左右のガイドレール５に沿って窓枠内を移動するスライダ８によって引き出され、窓を覆い隠すものである。
【００１６】
ロールカーテンは、一端縁（上端縁）６ａが巻き取りローラ３に取り付けられた捨て布６と、この捨て布６の他端縁（下端縁）６ｂに取り付けられたジョイント材７と、内パネル２側に支持された左右のガイドレール５に案内されて移動するスライダ８と、基端側（上端縁）４ａがジョイント材７に、先端側（下端縁）４ｂがスライダ８にそれぞれ取り外し可能に取り付けられ、巻き取りローラ３にジョイント材７とともに巻き取り可能なカーテン生地４とにより構成されている。
【００１７】
巻き取りローラ３は窓枠１の幅よりも若干長く形成されたほぼ円柱形状を成し、その両端は、内パネル２に溶接やビス止めなどで固着された左右一対の支持プレート９によって回転自在に支持されている。この支持プレート９，９の一方、本実施形態の場合には、図中左側の支持プレートは、捨て布６側の係合ピン２９と巻き取りローラ３の回転方向において係合する係合手段を兼ねている。各支持プレート９は内パネル２の窓枠１の左右上方の内パネル２に隠れた位置に設置されており、巻き取りローラ３が窓枠１の内方に露出しないように配置されている。巻き取りローラ３は、内部に収納する図示していないトーションコイルスプリングなどの付勢手段によって巻き取り方向に回転するように常時付勢されている。この巻き取りローラ３の外周面には、平面座に形成された切り欠き部３ａ及び取付溝３ｂが当該巻き取りローラ３の全長にわたり形成されている。切り欠き部３ａには、図２において２点鎖線で示すように、捨て布６を巻き取った場合にジョイント材７が配置される。一方、取付溝３ｂは捨て布６を取り付けるためのもので、開口部分が溝奥の底部に比べて狭く形成されている。
【００１８】
一方、捨て布６の上端縁６ａ及び下端縁６ｂは、各々例えば折り返し縫製されて芯材１１，１２を通す袋部６ａ，６ｂが設けられている。この上端縁の袋部６ａは巻き取りローラ３の取付溝３ｂ内に差し込まれており、その袋部６ａに芯棒１１を挿入することで取付溝３ｂからの抜けが阻止される継手を構成している。また、捨て布６の下端縁の袋部６ｂはジョイント材７に形成された第１取付溝７ａ内に差し込まれており、その袋部６ｂに芯棒１２を挿入することで第１取付溝７ａからの抜けが阻止される継手を構成している。この捨て布６の長さは、例えばカーテン生地４の交換作業の行い易さ等を考慮して決定されるが、少なくとも巻き取りローラ３に巻き付けられたときに切欠部３ａにジョイント材７が嵌まるように当接する長さとすることが必要である。
【００１９】
ジョイント材７は、カーテン生地４の幅とほぼ同じ幅を有している。即ち、ジョイント材７は窓枠１の幅よりも若干長く形成されており、その両端が内パネル２の裏側に隠れているのでそのまま手前側に引きだそうとしても窓枠１に引っかかって取り出すことはできない。しかし、巻き取り方向に傾けることでその両端が窓枠１内に収まるので、窓枠１の手前のパネル表側に取り出すことが可能となる。そこで、窓枠１の手前にジョイント材７を引き出してからカーテン生地４をジョイント材７から切り離す作業が実施できる。
【００２０】
このジョイント材７には、２つの取付溝７ａ，７ｂが当該ジョイント材７の全長にわたって形成されている。各取付溝７ａ，７ｂは、開口部分が溝奥の底部分に比べて狭くなっている。したがって、捨て布６あるいはカーテン生地４の縁の袋部６ｂ，４ａに芯材１２，１３を通した状態で各溝７ａ，７ｂの側方の開口部から差し込むことによって、あるいは各溝７ａ，７ｂにあらかじめ差し込まれた捨て布６及びカーテン生地４の縁の袋部６ｂ，４ａに芯材１２，１３を後から挿入することによって継手を構成できる。第１取付溝７ａはジョイント材７の上端面に、第２取付溝７ｂはジョイント材７の下端面にそれぞれ形成されている。また、ジョイント材７の表側の面７ｃは、巻き取りローラ３の外周面と同じ曲率の曲面から成り、裏側の面は平坦面に形成されている。したがって、ジョイント材７が巻き取りローラ３の切欠部３ａに配置されると、図２中２点鎖線で示すように、当該ジョイント材７が巻き取りローラ３の円周の一部となってこれらの横断面形状の輪郭が円形になる。このジョイント材７は、例えばアルミ合金を押し出し成形することで安価に製造される。
【００２１】
なお、ジョイント材７の第１取付溝７ａは、例えばかしめられて、捨て布６の下端縁６ｂの外れが防止されることもある。
【００２２】
カーテン生地４は、窓枠１を塞ぐのに十分な大きさを有している。カーテン生地４の上端縁及び下端縁は、例えば折り返し縫製されて袋部４ａ，４ｂが形成されている。カーテン生地４の上端縁の袋部４ａはジョイント材７の第２取付溝７ｂ内に差し込まれており、その袋部４ａに芯棒１３を挿入することで先端が膨出した突条を形成して、カーテン生地４の引き出し方向への第２取付溝７ｂからの抜けを阻止する継手が構成されている。また、カーテン生地４の下端縁の袋部４ｂは、図３に示すように、スライダ８の着脱体１６に形成されたスリット１６ａ内に差し込まれており、その袋部４ｂに芯棒１４を挿入することで先端が膨出した突条を形成して、カーテン生地の巻き取り方向へのスリット１６ａからの抜けを阻止する継手が構成されている。
【００２３】
スライダ８は、両端が左右のガイドレール５に案内されて移動するスライダ本体１５と、カーテン生地４の下端縁（先端縁）４ｂが取り付けられた着脱体（外枠体）１６と、スライダ本体１５に着脱体１６を係止する係止手段１７と、スライダ本体１５と着脱体１６との間に配置され係止手段１７を係止させる方向に作用する弾性力を発揮する弾性部材３２を有している。
【００２４】
弾性部材３２は例えば板ばねであり、例えば着脱体１６に取り付けられている。弾性部材３２は着脱体１６の天板１６ｄの内側面に配置され、着脱体１６に一体成形された凸片１６ｅをかしめることで着脱体１６に固定されている。弾性部材３２は例えば２個設けられており、例えば着脱体１６の両端の近傍位置にそれぞれ取り付けられている。
【００２５】
係止手段１７は、弾性部材３２の弾性力を受けて着脱体１６をスライダ本体１５に係止するものであり、また、着脱体１６をスライダ本体１５に対して弾性部材３２を圧縮する方向に所定距離ずらした状態で、その係止を解くものである。係止手段１７は、例えば着脱体１６に形成された爪３３とスライダ本体１５に形成された凹部３４より構成されている。弾性部材３２を圧縮させながら着脱体１６をスライダ本体１５に被せて取り付けると、爪３３が凹部３４に嵌り込み、係止手段１７が着脱体１６をスライダ本体１５に係止する。
【００２６】
また、スライダ８には、着脱体１６がスライダ本体１５に対して所定距離を越えてずれると着脱体１６をスライダ本体１５から押し離す離間手段３５が設けられている。離間手段３５は、例えばスライダ本体１５に設けられた凸部３６と、着脱体１６に設けられた凹部３７より構成されている。凸部３６は、着脱体１６の側板１６ｃに対向するスライダ本体１５の側板１５ａに一体成形されている。凹部３７は、着脱体１６の側板１６ｃの凸部３６に対向する位置に設けられている。係止手段１７によって着脱体１６がスライダ本体１５に係止されている図３の状態では、凸部３６は凹部３７に対向している。一方、弾性部材３２を圧縮しながら着脱体１６をスライダ本体１５に対してずらすと、即ち、本実施形態では着脱体１６をスライダ本体１５に対して下方に動かすと、凸部３６が凹部３７から外れて着脱体１６の側板１６ｃに当たりこれを押し離す。
【００２７】
なお、スライダ８の下部にはクッション２６が取り付けられており、スライダ８を最後まで下ろした場合の衝撃を吸収する。
【００２８】
スライダ本体１５の両端には、スライダの移動を任意の位置で固定するためのフリクション機構１８が設けられている。各フリクション機構１８は、例えば図４から図６に示すように、スライダ本体１５の両端面を塞ぐ蓋１９と、この蓋１９から突出するロッド２０と、ロッド２０の先端に取り付けられてガイドレール５内に配置される樹脂駒２１と、ロッド２０の基端と蓋１９の内側との間に圧縮された状態で設置されるスプリング２２により構成されている。スプリング２２は、樹脂駒２１をスライダ本体１５内に引き込む方向に引っ張り、ガイドレール５に摩擦係合させる。スプリング２２は、巻き取りローラ３がカーテン生地４を巻き取る力、即ちスライダ８を持ち上げる力に抗して当該スライダ８を静止させるに適したばね力が得られるように調整されている。
【００２９】
なお、樹脂駒２１には、ガイドレール５の内側面に当接する２本の弾性アーム２１ａが形成されている。各弾性アーム２１ａは、樹脂駒２１を反対側に押しつけて当該樹脂駒２１と各ガイドレール５との間のがた付きを防止している。また、各ガイドレール５の上端には、各樹脂駒２１が各ガイドレール５から抜けてしまうのを防止するストッパ（図示せず）が取り付けられている。即ち、スライダ本体１５は、各樹脂駒２１が各ストッパに当たる位置まで移動することができる。
【００３０】
着脱体１６の上面１６ｂには、カーテン生地４の下端縁４ｂを挿入するためのスリット１６ａが当該着脱体１６の全長にわたって形成されている。この着脱体１６はスライダ本体１５の上に被せられるカバーとして機能し、係止手段１７によってスライダ本体１５と一体化される。着脱体１６は、カーテン生地４の幅とほぼ同じ長さに形成されている。即ち、着脱体１６は窓枠１の幅よりも若干長く形成されており、カーテン生地４の幅方向（水平方向）に沿わせた状態ではその両端が内パネル２の裏側に隠れているので窓枠１を通してそのまま取り出すことはできないが、傾けることでその両端を窓枠１内に露出させ、窓枠１を通して内パネル２の裏側から取り出すことが可能になる。
【００３１】
このロールカーテンは、ジョイント材７が窓枠１から露出した状態で巻き取りローラ３の回転を固定するロック機構２７を備えている。このロック機構２７は、例えば図７及び図８に示すように、巻き取りローラ３に対して捨て布６をその幅方向へスライド可能に取り付けると共に該捨て布６側に係合ピン２９を設ける一方、係合ピン２９と巻き取りローラ３の回転方向で係合する係合溝２８を設けた係合手段（支持フレームを兼ねる）９を巻き取りローラ３の一端に対向させて内パネル２側に配置し、捨て布６の幅方向へのスライドによって係合手段９の係合溝２８に係合ピン２９を貫通させて係合させ、巻き取りローラ３の巻き取り方向への回転を阻止する。本実施形態では、係合溝２８は、内パネル２に固着された一方の支持プレート９に設けられ、巻き取りローラ３の一端３ｃに対向して配置されている。ただし、必ずしも一方の支持プレート９に係合溝２８を設ける必要はなく、パネル側、即ち車両の窓を構成する側の部材に設けていれば良い。
【００３２】
また、係合溝２８は、係合ピン２９の抜け止め部２９ａが通過する導入部２８ｂと巻き取りローラ３が巻き取り方向に回転したときに当接する端部付近で係合ピン２９の抜け止め部２９ａよりも溝幅が狭い係止部２８ａとを有し、例えば支持プレート９に円弧状のスリットとして形成されている。即ち、このスリットから成る係合溝２８の一方の端部、具体的には巻き取りローラ３の巻き取り回転方向の端部は、他の部分に比べて細くなっている。一方、係合ピン２９は、例えば捨て布６の上端縁６ａの折り返し内に挿入されている芯棒１１の一端で構成されている。即ち、芯棒１１の一端を捨て布６よりも側方に突出させることで当該一端を係合ピン２９としている。係合ピン２９は先端に係合溝２８内を移動する部分よりも大径の抜け止め部２９ａを有する。したがって、カーテン生地４の取り外し時には係合ピン２９の抜け止め部２９ａと係合手段９とが係合して捨て布６が元の位置にスライド不能とされる。
【００３３】
次に、ロールスクリーンの使用方法について説明する。
【００３４】
ロールスクリーンを使用する場合には、スライダ８を所望の位置まで下げれば良い。スライダ８を下げることでカーテン生地４が巻き取りローラ３から引き出され、窓枠１を塞ぐ。スライダ８の両端には、フリクション機構１８が設けられているので、各樹脂駒２１と各ガイドレール５との摩擦力によってスライダ８が各ガイドレール５に対して止められる。また、カーテン生地４は窓枠１を塞ぐのに十分な大きさを有しているので、図１に示すように、スライダ８を最後まで下ろした場合であってもジョイント材７及び捨て布６が窓枠１から露出することがなく、使用時において美観が害されることはない。
【００３５】
一方、ロールスクリーンを収納状態にするには、スライダ８を持ち上げれば良い。スライダ８の上昇に伴って、巻き取りローラ３が捨て布６、ジョイント材７並びにカーテン生地４の順番でこれらを巻き取る。このとき、最初に捨て布６が巻き取られてジョイント材７が巻き取りローラ３の切欠部３ａに配置されると、このジョイント材７が巻き取りローラ３の一部となって横断面形状の輪郭がほぼ円形となる。したがって、捨て布６に比べて非常に長いカーテン生地４を横断面形状の輪郭がほぼ円形となった巻き取りローラ３によって巻き取ることができ、巻き形状を崩すことなく巻き取りローラ３をバランス良く回転させることができ、振動や騒音の発生等を抑えることができる。また、捨て布６及びジョイント材７は、カーテン生地４と一緒に巻き取りローラ３によって巻き取られるので、これらが邪魔になることはない。
【００３６】
このロールスクリーンにおいてカーテン生地４を交換する場合には、先ず、スライダ８を下ろした後、カーテン生地４の途中を摘んでカーテン生地４をさらに引き出し、巻き取りローラ３に巻かれていた捨て布６を全て引き出す。これにより、ジョイント材７が窓枠１から露出する。また、この状態では、巻き取りローラ３の取付溝３ｂが下側に位置しており、当該取付溝３ｂ内の芯棒１１の一端の係合ピン２９が支持プレート９に形成された係止溝に対向する。
【００３７】
次に、カーテン生地４を巻き取りローラ３の一端３ｃ側に寄せ、捨て布６を巻き取りローラ３に対して幅方向にスライドさせる。捨て布６の上端縁の袋部６ａは、巻き取りローラ３の取付溝３ｂ内を一端３ｃ側に向けてスライドし、したがって、図７中２点鎖線で示すように、芯棒１１の一端２９が係止溝２８内に挿入される。
【００３８】
この状態でカーテン生地４を引き出す力を弱めると、巻き取りローラ３が巻き取り方向に回転して捨て布６を僅かに巻き取る。即ち、図８中矢印で示すように、芯棒１１の一端２９が係止溝２８内を移動する。そして、図８中二点鎖線で示すように、一端２９が係止溝２８の端部２８ａまで移動すると、一端２９が支持プレートを兼ねる係止手段９に当たって巻き取りローラ３の回転がロックされる。以後、カーテン生地４を引き出す力を完全に解除しても、捨て布６及びカーテン生地４は巻き取られることがなく、カーテン生地４及び捨て布６を弛ませた状態で作業を行うことができる。また、この状態では係合ピン２９が係合溝２８の係止部２８ａに位置しているので、たとえ捨て布６に巻き取りローラ３の他端側に向かう力が作用しても、即ち芯棒１１に引き抜き方向の力が作用しても、その一端２９が係止溝２８の係止部２８ａより抜けてしまうことがなく、巻き取りローラ３のロック状態が維持される。
【００３９】
次に、スライダ８の着脱体１６をスライダ本体１５から取り外す。弾性部材３２の弾性力に抗して係止手段１７の爪３３を凹部３４から外す方向、即ち、本実施形態では着脱体１６を下方にずらす。スライダ本体１５に対して着脱体１６をずらすことで係止手段１７の爪３３が凹部３４から抜け始め、そのずれが所定距離に達すると、爪３３が凹部３４から完全に抜けて係止が解かれ、着脱体１６を取り外し可能になる。そして、この状態で着脱体１６の側板１６ｃをスライダ本体１５から離す方向に動かすことで、即ち図９に示すように弾性部材３２の付近を中心に側板１６ｃの先端を回転させるように動かすことで、図１０に示すように、着脱体１６をスライダ本体１５から取り外すことができる。
【００４０】
このように係止手段１７の係止を解いた後、作業者自身がスライダ本体１５から着脱体１６を離す動作を行うことで着脱体１６をスライダ本体１５から取り外すようにしても良いが、離間手段３５を利用して自動的に取り外すようにしても良い。
【００４１】
つまり、スライダ本体１５に対して着脱体１６を所定距離、即ち爪３３が凹部３４から抜ける距離ずらして係止手段１７の係止を解いた後、さらに着脱体１６をずらすと、図１１に示すように、離間手段３５の凸部３６が凹部３７から外れて着脱体１６の側板１６ｃに当たり、側板１６ｃをスライダ本体１５から離れる方向に押し出す。これにより、着脱体１６がスライダ本体１５から外れる。即ち、作業者自身が着脱体１６をスライダ本体１５から取り外す動作を行わなくても、着脱体１６をスライダ本体１５から取り外すことができる。
【００４２】
なお、凸部３６が着脱体１６の側板１６ｃを押し出すことで係止手段１７の爪３３と凹部３４の対向関係がずれるので、作業者が着脱体１６をずらしている力を弱め、弾性部材３２の弾性力によって着脱体１６が押し戻されても、再び着脱体１６がスライダ本体１５に係止されることはない。
【００４３】
そして、スライダ本体１５から取り外した着脱体１６を傾けて窓枠１に通し、カーテン生地４の下端縁４ｂと一緒に内パネル２の裏側から取り出す。同様にして、ジョイント材７を傾けて窓枠１に通し、カーテン生地４の上端縁４ａと一緒に内パネル２の裏側から取り出す。
【００４４】
この後、カーテン生地４の両端縁の袋部４ａ，４ｂを芯棒１３，１４ごとそれぞれ引き抜き、ジョイント材７及び着脱体１６からカーテン生地４を外す。このとき、芯棒１３，１４はそれぞれ先にカーテン生地の袋部から取り外した。そして、新しいカーテン生地４の上端縁の袋部４ａをジョイント材７の第２取付溝７ｂに、下端縁の袋部４ｂを着脱体１６の係止溝１６ａにそれぞれ挿入し、各芯棒１３，１４を挿入して脱落を防止する。捨て布６の長さは作業性を考慮して決定されているので、ジョイント材７を窓枠１から十分に取り出してカーテン生地４の交換作業を行うことができ、当該作業は非常に効率的に行われる。
【００４５】
次に、ジョイント材７を傾けて窓枠１に通し、カーテン生地４の上端縁４ａと一緒に内パネル２の裏側に配置させる。また同様にして、着脱体１６を傾けて窓枠１に通し、カーテン生地４の下端縁４ｂと一緒に内パネル２の裏側に配置させる。そして、着脱体１６をスライダ本体１５に被せるようにして取り付ける。つまり、着脱体１６をスライダ本体１５に被せ、弾性部材３２を圧縮変形させながら着脱体１６をスライダ本体１５に取り付ける。着脱体１６の取り付けによって係止手段１７の爪３３が凹部３４に嵌り込み、弾性部材３２の弾性力が爪３３を凹部３４に食い込ませる方向に作用するので、着脱体１６がスライダ本体１５に係止され固定される。
【００４６】
この状態で、カーテン生地４を若干引き出すと、巻き取りローラ３が回転して係合ピンである一端２９が係止溝２８の端部２８ａより離れ、係止溝２８内からの引き抜きが可能になる。即ち、捨て布６を巻き取りローラ３の他端側にスライドさせてこの巻き取りローラ３に対するカーテン生地４の位置を元に戻すことで、係止ピン２９が係止溝２８の導入部２８ｂ部分から抜けて巻き取りローラ３のロック状態が解除される。
【００４７】
この後、カーテン生地４を引き出す力を弱めると、捨て布６が巻き取りローラ３に巻き取られ、当該捨て布６とジョイント材７が内パネル２の裏側に隠れると共にカーテン生地４の弛みがとられる。これにより、ロールカーテンのカーテン生地４の交換作業が終了する。即ち、内パネル２を外すことなく、また、スライダ８の着脱体１６の取り付け・取り外しを簡単に行うことが出来るので、カーテン生地４の交換作業が迅速に行われる。
【００４８】
本発明では、カーテン生地の交換作業を行う際、スライダ８のスライダ本体１５に対して着脱体１６をずらすだけで着脱体１６とスライダ本体１５の係止を解いて着脱体１６をスライダ本体１５から取り外すことができるので、着脱体１６の取り外し作業が簡単なものとなる。また、着脱体１６を弾性部材３２の弾性力に抗してスライダ本体１５に取り付けるだけで係止手段１７が着脱体１６をスライダ本体１５に係止しこれらを一体化するので、着脱体１６の取付作業が簡単なものとなる。これらのため、作業性が向上する。
【００４９】
また、着脱体１６をスライダ本体１５に係止するために別部品を準備する必要がないので、部品点数も減少し、製造コストを削減することができる。
【００５０】
なお、上述の形態は本発明の好適な形態の一例ではあるがこれに限定されるものではなく、本発明の要旨を逸脱しない範囲において種々変形実施可能である。例えば、上述の説明では、スライダ８の弾性部材３２を着脱体１６に取り付けていたが、弾性部材３２をスライダ本体１５に取り付けても良い。
【００５１】
また、上述の説明では、スライダ８に離間手段３５を設けていたが、離間手段３５を省略しても良い。
【００５２】
さらに、スライダ８に、着脱体１６のスライダ本体１５に対するずれを阻止する外れ防止手段４１を設けても良い。外れ防止手段４１の例を図１２に示す。この外れ防止手段４１は、係止手段１７の爪３３を押さえ付けるプレート３８と、このプレート３８をスライダ本体１５の底板１５ｂに固定するねじ３９と、スライダ本体１５の底板１５ｂに設けられ且つねじ孔を有するワッシャ４０より構成されている。ねじ３９をワッシャ４０にねじ込んでプレート３８によって爪３３を押さえ付けると、着脱体１６をスライダ本体１５に対してずらすことが出来なくなり、係止手段１７がロックされる。このため、着脱体１６をスライダ本体１５から取り外すことが出来なくなり、ロールカーテンの使用中に着脱体１６がスライダ本体１５から外れてしまうのを防止することができる。一方、カーテン生地４の交換作業を行う場合には、ねじ３９を外すか、あるいはねじ３９を緩めれば良い。これらによってプレート３８による爪３３の押し付けが解除され、着脱体１６をスライダ本体１５に対してずらすことが可能になるので、着脱体１６をスライダ本体１５から取り外すことが可能になる。
【００５３】
また、上述の説明では、ロック機構２７の係合溝２８を支持プレート９に形成されたスリットとしているが、必ずしもスリットに限るものではなく、例えば切り欠き、溝、窪み等でも良い。
【００５４】
また、上述の説明では、ロック機構２７の係合ピン２９を芯棒１１の一端を利用して構成しているが、芯棒１１とは別個の部材を設けて係合ピン２９としても良い。
【００５５】
また、上述の説明では、ロック機構２７の係合溝２８を内パネル２側に、係合ピン２９を捨て布６にそれぞれ設けているが、係合溝２８を捨て布６又は巻き取りローラ３に、係合ピン２９を内パネル２側にそれぞれ設けても良い。
【００５６】
また、上述の説明では、ジョイント材７及び着脱体１６をカーテン生地４の全幅にわたる１本の部材としているが、これらジョイント材７及び着脱体１６を幅方向に複数に分割しても良い。これらジョイント材７及び着脱体１６を複数に分割することで、カーテン生地４の上端縁４ａ及び下端縁４ｂを山状又は谷状に折り曲げるようにしながらジョイント材７及び着脱体１６を窓枠１から取り出すことが可能になる。
【００５７】
さらに、上述の説明では、ジョイント材７とカーテン生地４を取り外し可能に取り付けるための手段として、ジョイント材７の下端に第２取付溝７ｂを形成しているが、必ずしもこの取り付け方法に限るものではない。例えば、図１３に示すように、ジョイント材７の下部にスプリング３１によってカーテン生地４の上端縁４ａを強固に挟み付けるクリップ機構３０を形成し、カーテン生地４の上端縁４ａを挟み付ける方法で取り外し可能に取り付けても良い。
【００５８】
【発明の効果】
以上説明したように請求項１記載のロールカーテンでは、スライダが、両端がガイドレールに案内されて移動するスライダ本体と、カーテン生地の先端縁が取り付けられた着脱体と、スライダ本体に着脱体を係止する係止手段と、スライダ本体と着脱体との間に配置され係止手段を係止させる方向に作用する弾性力を発揮する弾性部材を有し、係止手段は弾性部材の弾性力を受けて着脱体をスライダ本体に係止し且つ弾性部材の弾性力に抗して着脱体をスライダ本体に対して所定距離ずらした状態で係止を解くものであるので、着脱体をスライダ本体に対して所定距離ずらすだけで着脱体とスライダ本体の係止を解くことができると共に、着脱体をスライダ本体に取り付けるだけで着脱体をスライダ本体に係止して一体化させることができる。即ち、着脱体の取り付け、取り外し作業がいわばワンタッチ作業となり、作業性を向上させることができる。また、部品点数を減少させることができるので、製造コストを削減することができる。
【００５９】
また、請求項２記載のロールカーテンでは、着脱体がスライダ本体に対して所定距離を越えてずれると着脱体をスライダ本体から押し離す離間手段を備えているので、着脱体をずらして係止を解いた後、さらに着脱体をずらすことで着脱体をスライダ本体から取り外すことができる。このため、着脱体の取り外し作業がより一層簡単なものとなり、作業性を更に向上させることができる。
【００６０】
さらに、請求項３記載のロールカーテンでは、着脱体のスライダ本体に対するずれを阻止する外れ防止手段を備えているので、ロールカーテンの使用中に着脱体がスライダ本体から外れてしまうのを防止することができる。
【図面の簡単な説明】
【図１】本発明を適用したロールカーテンの実施形態の一例を示す正面図である。
【図２】図１のＩＩ−ＩＩ線に沿う断面図である。
【図３】図１のスライダの断面図である。
【図４】図１のＩＶ−ＩＶ線に沿う断面図である。
【図５】図４のＶ−Ｖ線に沿う断面図である。
【図６】図５の矢印ＶＩ方向からみたフリクション機構の側面図である。
【図７】図１のロールカーテンのロック機構を示す断面図である。
【図８】図７の矢印ＶＩＩＩ方向からみたロック機構の側面図である。
【図９】スライダの着脱体の係止を解いてスライダ本体から外す様子を示す断面図である。
【図１０】スライダの着脱体をスライダ本体から取り外した状態を示す断面図である。
【図１１】離間手段がスライダ本体から着脱体を押しは成す様子を示す断面図である。
【図１２】スライダの他の実施形態を示す断面図である。
【図１３】ジョイント材の他の実施形態を示す断面図である。
【図１４】従来のロールカーテンを示し、そのスライダの断面図である。
【符号の説明】
１  窓枠
２  内パネル（パネル）
３  巻き取りローラ
４  カーテン生地
５  ガイドレール
８  スライダ
１５  スライダ本体
１６  着脱体
１７  係止手段
３２  弾性部材
３５  離間手段
４１  外れ防止手段
【図１】
0003840406.tif 000002
【図２】
0003840406.tif 000003
【図３】
0003840406.tif 000004
【図４】
0003840406.tif 000005
【図５】
0003840406.tif 000006
【図６】
0003840406.tif 000007
【図７】
0003840406.tif 000008
【図８】
0003840406.tif 000009
【図９】
0003840406.tif 000010
【図１０】
0003840406.tif 000011
【図１１】
0003840406.tif 000012
【図１２】
0003840406.tif 000013
【図１３】
0003840406.tif 000014
【図１４】
0003840406.tif 000015